(57)【要約】【課題】室内側で扉の戸尻側近傍位置で倒れた人が障害となって扉の開放に支障をきたすような場合であっても、救助人は侵入部から室内側に速やかに侵入して扉を全開し倒れた人を室外側に救出することができるようにする。【解決手段】揺動自在に枢支された扉が、開放時には該扉の戸尻側部位を室内側に突出させることで扉開放スペースの効率化を図るようにした折り畳み回転ドアにおいて、前記扉の下方部位には少なくとも戸先側に位置して室外側から開放操作可能な侵入部を形成した。【選択図】　　図１
2004027583.tif 000002
【特許請求の範囲】
【請求項１】
揺動自在に枢支された扉が、開放時には該扉の戸尻側部位を室内側に突出させることで扉開放スペースの効率化を図るようにした折り畳み回転ドアにおいて、前記扉の下方部位には少なくとも戸先側に位置して室外側から開放操作可能な侵入部が形成されていることを特徴とする非常侵入部を備えた折り畳み回転ドア。
【請求項２】
上記侵入部は、扉に穿設された侵入口と該侵入口を閉塞する離脱板とからなり該離脱板はその周縁部に設けたジッパーガスケットを介して前記侵入口に離脱可能に装着されていることを特徴とする請求項１記載の非常侵入部を備えた折り畳み回転ドア。
【発明の詳細な説明】
【０００１】
【発明の属する技術分野】
本発明は、室内側で倒れた病人や老人等が障害となつて出入り口に設けられた折り畳み回転ドアの扉が充分に開放することが出来ないような場合であっても速やかに室内側に侵入して扉を全開し得て、倒れた人を救出することができるようにした折り畳み回転ドアの技術分野に関するものである。
【０００２】
【従来の技術】
近年、特に公共建造物や病院等のトイレ出入り口には折り畳み回転ドアが採用されるようになってきており、この折り畳み回転ドアは扉の開放時に該扉の戸尻側部位と戸先側部位とが互いに室内外方向に突出することでその扉開閉に要するスペースが少なくてすむように構成したものであるので広い通行巾が確保できるばかりか、車椅子を利用した人達にとっては開扉動作を通行に支障をきたすことなく行うことができる等利便性の高いドアである。その反面、折り畳み回転ドアが設置されたトイレの室内で車椅子を利用した病人や老人等が倒れてしまう等の非常事態が発生した際には前記扉を開放して救出する必要性がある。
そこで、このような事態に対処するため特開平１１−１４１２２４号公報に示すように、扉の室外側から取り外し可能なガイドピンを設け、非常時には該ガイドピンを取り外して室外側から容易に扉を開放して人を救出できるようにしたものがある。
【０００３】
【発明が解決しようとする課題】
ところが折り畳み回転ドアは扉の戸先側を室外側に引き操作する扉開放動作に伴って扉の戸尻側が回転移動しながら暫時室内側に突出することで扉開放が行われるようになつており、トイレ内（室内側）の扉の戸尻側近傍位置（扉開放に伴う戸尻側の移動軌跡上）で病人や老人が倒れてしまつた場合には倒れた人が障害となつて扉を充分に開放できなくこれらの人を迅速にトイレ外（室外側）へ搬出することができなくなってしまうおそれがあり、ここに本発明が解決しようとする課題がある。
【０００４】
【課題を解決するための手段】
かかる課題を達成するために本発明が採用した技術手段は、揺動自在に枢支された扉が、その開放時に該扉の戸尻側部位を室内側に突出させることで扉開放スペースの効率化を図るようにした折り畳み回転ドアにおいて、前記扉の下方部位には少なくとも戸先側に位置して室外側から開放操作可能な侵入部が形成されていることを特徴とするものである。
そしてこの構成により、トイレの室内側で扉の戸尻側近傍位置（扉開放に伴う戸尻側部位の移動軌跡上）で倒れた人が障害となって扉の開放に支障をきたすような場合であっても、救助人は侵入部から室内側に速やかに侵入して扉を全開し倒れた人を室外側に救出することができるようにしたものである。
【０００５】
また、上記侵入部は、扉に穿設された侵入口と該侵入口を閉塞する離脱板とからなり該離脱板はその周縁部に設けたジッパーガスケットを介して前記侵入口に開放可能に装着されていることを特徴とするものである。
この構成によって、非常時には特別な工具等を要することなく室外側から離脱板を迅速に開放させ室内側に侵入して扉を全開状態とすることができ、また、離脱板を扉に装着した元の状態への復帰作業も容易にできる。
【０００６】
【発明の実施の形態】
本発明の実施の形態を図面に基づいて説明する。
図中１は折り畳み回転ドアの枠体であり該枠体１は、上枠２と戸先側縦枠３および戸尻側縦枠４とで略門型に構成されており、上枠２は図２のように段差部２ａを、また両縦枠３，４は図３に示すように段差状の戸当たり部３ａ，４ａを有して鋼板等で折曲形成されるものであるが、戸尻側縦枠４は更に段差部４ｂを設けて支柱収納部４ｃを形成してある。そしてこれら両縦枠３，４は、戸当たり部３ａ，４ａを室内外方向互い違いに配して離間対設されている。
また、戸当たり部３ａ，４ａに折曲形成された凹部にはゴム等から成る気密材６がそれぞれ長手方向全長に亘って突設されている。
【０００７】
１４は図２に示すように、上枠２の上面に段差部２ａと所定間隔を存して対設し溶接固定された断面角状の塞ぎ材であり、該塞ぎ材１４は、図１，図２に示すようにその下端面１４ａを上枠２の下端面２ｂと略同一面状に配して戸先側縦枠３と後述する支柱５の上端アーム５ａ先端間に亘って上枠２に設けられており、塞ぎ材１４と段差部２ａ間にガイド溝１８を形成している。
【０００８】
１０は、枠体１の開口幅に亘って前記ガイド溝１８内に設けたガイドレールであって、該ガイドレール１０は、上面部１０ａと該上面部１０ａの両端からそれぞれ垂下対設した側壁部１０ｂ，１０ｂとその先端側をそれぞれ対向して突設した抜け止め部１０ｃとで下方に開口を有する断面略コ字状に形成され、上枠２の下面に固定された取り付け座１２に上面部１０ａを当接した状態でビス１７により固定されている。
【０００９】
５０は、枠体１の見込み幅ほぼ中央位置に建て込まれた扉であり、該扉５０は、鋼板等を折曲形成して成る表裏面板５０ａ，５０ａの対向間にハニカムコア等の芯材５０ｂを介在させて矩形状に構成したパネル体であり、その左右両端面には緩衝用ゴム５７が扉５０の上下方向全長に亘って設けられている。そして扉５０の僅かに戸先側の上端面には、支軸５１ａの先端部に段付きのローラ５１ｂを備えたガイド部材５１がガイドレール１０内を左右方向転動可能に突設されている。
【００１０】
５８は、扉５０の戸先側で下方部位に設けられた侵入部であり、該侵入部５８は扉５０に穿設した方形状の侵入口５９と、該侵入口５９を閉塞するよう装着される離脱板５８ａとで構成され、侵入口５９の見込み面と離脱板５８ａの周縁部間にジッパーガスケット５８ｂを介装することで離脱板５８ａが扉５０に装着されている。
ジッパーガスケット５８ｂの外周面には扉５０に形成された侵入口５９の周縁部を室内外方向から抱持状に抜け止め係止する係止片５８ｃ，５８ｃが、また内周面には離脱板５８ａの周縁部が嵌入する嵌入溝５８ｄが形成されている。
さらに、ジッパーガスケット５８ｂの室外側面には、ジッパー溝５８ｆが形成され、該ジツパー溝５８ｆには紐状のジッパー５８ｅを密嵌合状に止着するようになっているが、ジッパーガスケット５８ｂはジッパー５８ｅの無い状態では、ジッパー溝５８ｆと嵌入溝５８ｄとの溝底部間が薄肉状になって溝片部５８ｂ´が離脱板５８ａの離脱方向（室外側方向）へ折曲し易くなっており、この状態で離脱板５８ａは引棒５８ｈを室外側に引くことによつて扉５０から離脱するようになっている。一方、ジッパー５８ｅが止着された状態では、ジッパーガスケット５８ｂは剛体的になって前記折曲が規制され、離脱板５８ａを固定的に嵌合支持するようになっている。また、ジッパー５８ｅの所望位置には引手５８ｇが設けてあり、該引手５８ｇを引っ張ることによつてジツパー５８ｅをジツパー溝５８ｆから容易に抜き出すことができるように構成されている。
【００１１】
図４は侵入部５８の第二の実施の形態を示す図であり、前記第一の実施の形態と同一名称のものは同一符号を付して説明する。
扉５０に穿設した方形状の侵入口５９の見込み方向周縁部には、見込み方向中央部には対向状に凹溝が形成された取り付け部材５０ｃが固定されており、該取り付け部材５０ｃの凹溝に一側縁がシール材Ｓによって嵌入固定され、他側縁がジッパーガスケット５８ｉに形成された支持溝５８ｋに嵌合固定される支持片５８ｊがそれぞれ形成されている。
【００１２】
一方、ジッパーガスケット５８ｉの外周面には上記支持溝５８ｋが、また内周面には離脱板５８ａの外周縁部が嵌合する嵌入溝５８ｄがそれぞれ形成されている。さらに、ジッパーガスケット５８ｉの室外側面に形成されたジツパー溝５８ｆには紐状のジッパー５８ｅが密嵌合状に止着されており、この状態は前記第一の実施の形態で説明したものと同様に構成されている。
尚、侵入部５９は少なくとも人体が通過可能な大きさと形状を有していれば良く、また扉５０の下方部位で少なくとも戸先側に位置して設けてあれば良いので、扉５０のほぼ全巾に亘って横長状に設けられていてもよいことは言うまでもない。
さらに、離脱板５８ａは金属や樹脂から成る板材は勿論、扉５０と同仕様のパネル体で形成してもよい。
【００１３】
扉５０は閉鎖状態で枠体１に突設された気密材６の先端部が表裏面板５０ａ，５０ａにそれぞれ当接して扉５０と枠体１間の隙間を閉塞するように成っている。また、５３は錠前、５４は扉５０の室内側面に設けられた開閉扉用把手であり、５６は扉５０の下端部に物などが当接した場合に扉５０の損傷を防止する保護プレートである。
【００１４】
５は断面が方形状の角材で形成される支柱であって、該支柱５は支柱収納部４ｃに沿って戸尻側縦枠４に並設されており、支柱５と戸尻側縦枠４とは支柱５の上下部に取り付けられた図示しないピボツトヒンジで鉛直方向回動自在に枢支されている。また、支柱５の上下部には上アーム５ａと下アーム５ｂが平行して突設されそれらの先端部は、それぞれ扉５０のアーム取り付け金具５２に支軸５５を介して回転自在に枢支されている。
上アーム５ａは、外形を塞ぎ材１４と略同型に形成して扉５０の閉鎖時に上アーム５ａと塞ぎ材１４とが略同一面の外観を呈するようにしてあり、また下アーム５ｂは上アーム５ａより高さ寸法を低く設定して扉５０を取り付けた際に扉５０下端と床面との隙間を少なくするようにしてある。
また、支柱５は、閉扉時には支柱収納部４ｃに収納されて戸尻側縦枠４から突出しないようになっている。
８は戸当たりゴムであって、該戸当たりゴム８は戸尻側縦枠４の下方位置で戸当たり部４ａ側の見込み部に取り付けられ、扉５０の全開状態で表面板５０ａに当接して扉５０が戸尻側縦枠４に衝突するのを防止するようになっている。
【００１５】
このように構成した折り畳み回転ドアの開閉動作を図５に従って説明する。
扉５０が左右縦枠３，４間に収納された閉鎖状態において、室外側（図の上側位置）から錠前５３を引いて開扉動作をするとガイド部材５１はガイドレール１０に案内されて右方向に移動を開始すると同時に扉５０はガイド部材５１を中心として戸先側は図の上側方向へ、反対に戸尻側は下側方向へ暫時突出しながら時計廻りに回転移動をする。
そしてガイド部材５１がガイドレール１０の端部に設けた図示しないストッパーの係止部に係止した全開位置では扉５０は図の上下両方向にそれぞれ略その半部を突出した状態で、建物開口部に対して略直角姿勢で停止するようになる。また、閉扉の場合は、上記と逆の動作をして扉５０が閉鎖することとなる。
【００１６】
ここで仮に扉５０の戸尻側近傍位置（扉開放に伴う戸尻側の移動軌跡上であり、図の破線で囲まれた領域Ｘ）に病人等が倒れたりしていた場合には、それが障害となって扉５０を充分に開放させることができなくなってしまうこととなるが、このような緊急事態が発生した場合、救助人は室外側からジツパー５８ｅに設けられた引手５８ｇを引いて該ジツパー５８ｅを取り外した後に引き棒５８ｈを手前に引くことにより離脱板５８ａは容易に扉５０から離脱し、そこに形成される侵入口５９から室内側に入り込んで、倒れている病人等を移動させることにより扉５０を開放させて室外側に搬出し得て、迅速かつ容易に救出活動を行うことができる。
また、離脱板５８ａの復元作業も離脱板５８ａの周縁部を再びジッパーガスケット５８ｂ（５８ｉ）の嵌入溝５８ｄに嵌入した後ジッパー５８ｅをジツパー溝５８ｆに強制嵌入するのみでよく、特別な工具や煩雑な手間等を要することなく極めて簡単ににおこなうことができる。
【００１７】
【発明の効果】
本発明は、叙述の如く構成したので折り畳み回転ドアが取り付けられた室内で
回転扉の戸尻側近傍位置で病人等が倒れて扉の開放が妨げられた場合であっても該扉の下方部位で戸先側に位置して設けた侵入部の離脱板を室外側から開放操作して救助者が侵入口より室内側に侵入し倒れた人を移動することにより扉の全開放をして室外側に速やかに救出することができる。
【００１８】
また、離脱板をジッパーガスケットを介して前記侵入口に装着した場合には、離脱板を特別な工具等を要すること無く離脱させることができ、迅速に侵入口が確保できることとなって非常時での安全性が向上すると共に、離脱板の扉への復元作業も容易にすることができる。
【図面の簡単な説明】
【図１】（Ａ）本発明に係る折り畳み回転ドアの内観図（室内側）である。
（Ｂ）同上の外観図（室外側）である。
【図２】図１（Ａ）のＡ―Ａ線拡大断面図である。
【図３】同上のＢ―Ｂ線拡大断面図である。
【図４】第二の実施の形態を示す要部断面図である。
【図５】折り畳み回転ドアの開閉動作説明図である。
【符号の説明】
１　　枠体
２　　上枠
３　　戸先側縦枠
４　　戸尻側縦枠
５　　支柱
５０　　扉
５８　　　侵入部
５８ａ　　離脱板
５８ｂ　　ジッパーガスケット
５８ｃ　　係止片
５８ｄ　　嵌入溝
５８ｅ　　ジッパー
５８ｆ　　ジッパー溝
５８ｇ　　引手
５９　　　侵入口
【図１】
2004027583.tif 000003
【図２】
2004027583.tif 000004
【図３】
2004027583.tif 000005
【図４】
2004027583.tif 000006
【図５】
2004027583.tif 000007